(57)【要約】【課題】上面後部が異形形状の洋風便器についても設置可能な便座ボックス及びその取付構造を提供する。【解決手段】便座ボックス１Ａの底部プレート２に設けられた２条のスリット３３の後端は、該便座ボックス１Ａの後面１ｂに開放している。ボルト３５は、スリット３３の長手方向に延在する長板状の頭板３５ａと、該頭板３５ａの長手方向の一端側から立設された螺子棒部３５ｂとを備えている。頭板３５ａの螺子棒部３５ｂが便座ボックス１Ａの後面から突出するようにボルト３５をスリット３３に差し込み、小孔３５ｃとビス３６ａとを位置合わせし、ビス２４により頭板３５ａを便座ボックス１Ａに固定する。【選択図】  図１
2004321400.tif 000002
【特許請求の範囲】
【請求項１】
洋風便器の上面に設置され、ボルトによって該洋風便器に固定される便座ボックスであって、底部に、洋風便器前後方向に延在する該ボルトの挿通用のスリットが設けられている便座ボックスにおいて、
前記ボルトは、該スリットの長手方向に延在する頭板と、該頭板の長手方向の一端側から立設された螺子棒部とを備えており、
該頭板を該便座ボックスに固定する固定手段が設けられており、
該スリットは該便座ボックスの後面に開放しており、
該頭板は、その他端側が該スリット内に配置されて該固定手段によって便座ボックスに固定されると共に、該一端側が便座ボックスの後面から後方に突出した状態をとりうるよう構成されていることを特徴とする便座ボックス。
【請求項２】
請求項１において、前記固定手段はビスであることを特徴とする便座ボックス。
【請求項３】
便座ボックスが、洋風便器の後部上面に設置され、該洋風便器に設けられた便座取付用ボルト挿通孔に挿通されたボルトによって固定された便座ボックスの取付構造において、
該便座ボックスは請求項１又は２に記載の便座ボックスであり、
該ボルト挿通孔は、便座ボックスの後面付近又はそれよりも後方に位置しており、
前記頭板は、その他端側が該スリット内に配置されると共に該固定手段によって便座ボックスに固定され、一端側が便座ボックスの後面付近又はそれよりも後方に延出しており、該螺子棒部が便座ボックスの後面付近又はそれよりも後方に位置していることを特徴とする便座ボックスの取付構造。
【発明の詳細な説明】
【０００１】
【発明の属する技術分野】
本発明は、洋風便器の上面に設置され、ボルトによって固定される便座ボックスに係り、特に、洋風便器の便座取付用ボルト挿通孔の位置が便座ボックスの後面付近又はそれよりも後方であっても洋風便器に固定することができる便座ボックスに関する。また、本発明は、この便座ボックスを洋風便器に取り付けた構造に関する。
【０００２】
【従来の技術】
洋風便器に温水洗浄装置を設置する場合に、便器の後部上面に便座ボックスを設置することが多い。この便座ボックス内に温水を噴出するためのノズル及び温水供給機構が組み込まれると共に、さらに温風乾燥機構、脱臭機構などが組み込まれることもある。この便座ボックスに便座や、通常は更に便蓋が上下方向回動可能に取り付けられる。この便座ボックスの洋風便器への従来（特開２００１−７０１９９号）の取付構造について図３〜７を参照して説明する。なお、図６は図４のＶＩ−ＶＩ線に沿う断面図、図７は図６のＶＩＩ−ＶＩＩ線に沿う断面図である。
【０００３】
便座ボックス１の底部プレート２に洋風便器４の前後方向に延在するスリット３が２条平行に設けられている。このスリット３にボルト５の頭部５ａが差し込まれる。なお、スリット３は、後端側に拡幅部３ａを備えており、ボルト５の頭部５ａが該拡幅部３ａを通って底部プレート２の上側に挿入され、ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが２個設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が図５の如く洋風便器４の前端から５〜２０ｍｍ程度突出するように便座ボックス１の前後位置を調整してから該ナット１０を締め込み、便座ボックス１を洋風便器４に固定する。
【０００５】
なお、スリット３の両側に壁状部１３，１３が設けられている。この壁状部１３，１３の上端間に板状部分１４が一体的に設けられている。
【０００６】
この便座ボックス１には、便蓋１２も上下方向回動自在に取り付けられている。この便座ボックス１の内部に温水噴射ノズル等の機構が設置されている。
【０００７】
【特許文献１】
特開２００１−７０１９９号公報
【０００８】
【発明が解決しようとする課題】
洋風便器として、図８に示すように、洋風便器２０の最後部上面に凸部２１が設けられ、この凸部２１の前面の左右両サイドが前方にせり出している機種が一部の輸入品に見受けられる。このような洋風便器２０は、温水洗浄装置が普及していない海外地域において、凸部前面の形状を便座２２の後縁の曲線に倣わせて美観を向上させるために設計されているものと推察される。この凸部２１内には便鉢へのフラッシュ用水を貯留するタンク部が洋風便器２０と一体的に設けられている。
【０００９】
このような凸部２１を有した洋風便器２０にあっては、旧来の便座２２はボルト２３をボルト挿通孔２４に通して固定することができるが、後面が左右幅方向に略々直線状に延在している便座ボックスは、凸部２１の左右前面が便座ボックス後面に当り、ボルトをボルト挿通孔２４に差し込むことができないことがある。
【００１０】
本発明は、このような不便を解消し、図８の如き異形形状の洋風便器など各種の洋風便器についても便座ボックスを設置できるようにすることを目的とする。
【００１１】
【課題を解決するための手段】
本発明の便座ボックスは、洋風便器の上面に設置され、ボルトによって該洋風便器に固定される便座ボックスであって、底部に、洋風便器前後方向に延在する該ボルトの挿通用のスリットが設けられている便座ボックスにおいて、前記ボルトは、該スリットの長手方向に延在する頭板と、該頭板の長手方向の一端側から立設された螺子棒部とを備えており、該頭板を該便座ボックスに固定する固定手段が設けられており、該スリットは該便座ボックスの後面に開放しており、該頭板は、その他端側が該スリット内に配置されて該固定手段によって便座ボックスに固定されると共に、該一端側が便座ボックスの後面から後方に突出した状態をとりうるよう構成されていることを特徴とするものである。
【００１２】
本発明の便座ボックスの取付構造は、便座ボックスが、洋風便器の後部上面に設置され、該洋風便器に設けられた便座取付用ボルト挿通孔に挿通されたボルトによって固定された便座ボックスの取付構造において、該便座ボックスは本発明の便座ボックスであり、該ボルト挿通孔は、便座ボックスの後面付近又はそれよりも後方に位置しており、前記頭板は、その他端側が該スリット内に配置されると共に該固定手段によって便座ボックスに固定され、一端側が便座ボックスの後面付近又はそれよりも後方に延出しており、該螺子棒部が便座ボックスの後面付近又はそれよりも後方に位置していることを特徴とするものである。
【００１３】
かかる本発明の便座ボックス及び便座ボックスの取付構造にあっては、ボルトの頭板のうち、螺子棒部を備えた該他端側が、便座ボックスの後面から後方に突出した状態をとりうるよう構成されている。このため、便座ボックスの後面を便器取付用ボルト挿通孔の位置よりも前方に配置することができる。従って、図８のように後部上面が異形形状となっている洋風便器についても該便座ボックスを固定設置することが可能となる。
【００１４】
本発明では、上記の固定手段はビスであることが、便座ボックスを洋風便器に簡便且つ強固に固定するために好ましい。
【００１５】
【発明の実施の形態】
以下、図面を参照して本発明の実施の形態について詳細に説明する。
【００１６】
図１（ａ）は実施の形態に係る便座ボックスを説明する下方からの斜視図、図１（ｂ）は図１（ａ）のＢ−Ｂ線に沿う断面図である。
【００１７】
便座ボックス１Ａの底部プレート２には、前後方向に延在するスリット３３が２条平行に設けられている。これらのスリット３３の後端は該便座ボックス１Ａの後面１ｂに開放している。スリット３３の上半部３３ａは、該後面１ｂの下部に設けられ、ボルト３５の頭部３５ａが通過可能となっている。即ち、スリット上半部３３ａの幅及び高さは、頭部３５ａの幅及び厚みよりも若干大き目となっている。
【００１８】
ボルト３５は、スリット３３の長手方向に延在する長板状の頭板３５ａと、該頭板３５ａの長手方向の一端側から立設された螺子棒部３５ｂとを備えている。該頭板３５ａには、該螺子棒部３５ｂよりも他端側に、長手方向に間隔をおいて小孔３５ｃが複数個、例えば２個設けられている。
【００１９】
スリット３３の上側（天井側）は板状部分３６となっている。この板状部分３６には、便座ボックス１Ａの前後方向に間隔をおいてビス孔３６ａが複数個、例えば４個設けられている。
【００２０】
この便座ボックス１Ａのその他の構成は前記便座ボックス１と同様である。
【００２１】
このように構成された便座ボックス１Ａを図８の便器２０に取り付ける際には、ボルト３５の頭板３５ａを、その他端側からスリット３３の上半部３３ａに差し込み、螺子棒部３５ｂを便器２０のボルト挿通孔２４に挿通させることができる位置とする。
【００２２】
次いで、必要に応じ頭部３５ａを若干前後にスライドさせ、頭部３５ａの小孔３５ｃのいずれかと板状部分３６のビス孔３６ａのいずれとかを合致させる。この状態で、該小孔３５ｃからビス孔３６ａにビス３４を螺じ込み、頭板３５ａを板状部分３６に固定する。
【００２３】
このボルト３５が固定された便座ボックス１Ａを洋風便器２０の後部上面に載置し、この際、ボルト挿通孔２４に該ボルト３５の螺子棒部３５ｂを通し、ナットを該螺子棒部３５ｂに螺じ込み、便座ボックス１Ａを洋風便器に固定する。
【００２４】
このように、便座ボックス１Ａは、ボルト３５の螺子棒部３５ｂを便座ボックス１Ａの後面よりも後方に配置させることができ、図８の如き後部上面が異形形状の洋風便器についても便座ボックス１Ａを設置することができる。
【００２５】
なお、ボルト３５の小孔３５ｃ及び板状部分３６のビス孔３６ａがそれぞれ複数個設けられているため、任意に選択してビス３４を螺着することにより、ボルト頭板３５ａの便座ボックス１Ａ後面１ｂからの突出長さを略任意に調節することができる。例えば、螺子棒部３５ｂを便座ボックス１Ａの後面付近に位置させることもできる。従って、この便座ボックス１Ａは、各種の異形形状の後部上面を有する洋風便器に適用することができる。
【００２６】
なお、この便座ボックス１Ａは、図２のようにボルト頭板３５ａの前後を逆にすることにより、通常の洋風便器にも取り付けることができる。
【００２７】
図２（ａ）はかかる便座ボックスへの取付構造を説明する斜視図、図２（ｂ）は図２（ａ）のＢ−Ｂ線に沿う断面図である。
【００２８】
図２（ａ），（ｂ）に示す通り、ボルト３５の頭部３５ａを、その螺子棒部３５ｂが設けられた端側から挿通孔３３ａに挿通させる場合、螺子棒部３５ｂは便座ボックス１Ａの後面１ｂよりも前方に配置されるので、後部上面が異形形状とはなっていない通常の洋風便器に該便座ボックス１Ａを取り付けることが可能である。
【００２９】
なお、図２ではビス３４によってボルト３５を便座ボックス１Ａに固着しているが、このビス３４は省略されてもよい。ビス３４を省略しても、便座ボックス１Ａを洋風便器にしっかりと固定することができる。なお、ビス３４を用いれば、ボルト３５と便座ボックス１Ａとを強固に一体化することができる。
【００３０】
上記実施の形態は本発明の一例であり、本発明は上記実施の形態に限定されるものではない。
【００３１】
上記実施の形態では、ボルト３５の挿通用の小孔３５ｃは２個であったが、１個又は３個以上であってもよい。
【００３２】
上記実施の形態では、板状部分３６のビス孔３６ａは４個であるが、２ないし３個又は５個以上であってもよい。
【００３３】
上記実施の形態では、１個のビス３４によってボルト３５を板状部分３６に固定したが、２個以上のビス３４で固定してもよい。また、ビスではなく、接着剤等によってボルト３５を板状部分２６に固定してもよい。
【００３４】
【発明の効果】
以上の通り、本発明によると、後部上面が異形形状の洋風便器についても便座ボックスを設置することができる。
【図面の簡単な説明】
【図１】（ａ）図は実施の形態に係る便座ボックスのボルトの取付構造を説明する下方からの斜視図、（ｂ）図は（ａ）図のＢ−Ｂ線に沿う断面図である。
【図２】（ａ）図は実施の形態に係る便座ボックスのボルトの異なる取付構造を説明する下方からの斜視図、（ｂ）図は（ａ）図のＢ−Ｂ線に沿う断面図である。
【図３】従来の便座ボックスと洋風便器を示す斜視図である。
【図４】従来の便座ボックスを示す斜視図である。
【図５】従来の便座ボックスと洋風便器を示す斜視図である。
【図６】図４のＶＩ−ＶＩ線に沿う断面図である。
【図７】図６のＶＩＩ−ＶＩＩ線に沿う断面図である。
【図８】従来の後部上面が異形形状となっている洋風便器を示す斜視図である。
【符号の説明】
１，１Ａ  便座ボックス
１ｂ  後面
２  底部プレート
４，２０  洋風便器
４ｂ，２４  ボルト挿通孔
３３  スリット
３４  ビス
３５  ボルト
３５ａ  頭板
３５ｂ  螺子棒部
３５ｃ  小孔
３６  板状部分
３６ａ  ビス孔
【図１】
2004321400.tif 000003
【図２】
2004321400.tif 000004
【図３】
2004321400.tif 000005
【図４】
2004321400.tif 000006
【図５】
2004321400.tif 000007
【図６】
2004321400.tif 000008
【図７】
2004321400.tif 000009
【図８】
2004321400.tif 000010